(57)【要約】【課題】  キーボードの使用時には邪魔にならず、またキーボードの不使用時にはキーボードを起立状態に支持しておくことが可能なスタンド付きキーボードを提供すること。【解決手段】  スタンド付きキーボードは、キーボード１と、キーボード１の底面側に回動可能に取付けられ、キーボード１を起立状態で支持可能なスタンド２と、を有する。スタンド２は、キーボード１の底面側に取付けられた支持部２１と、支持部２１に回動可能に取付けられたスタンド本体２０と、キーボード１を起立状態で支持する位置にスタンド本体２０を支持部に係合可能な係合部２２と、を有する。【選択図】  図１
2005196597.tif 000002
【特許請求の範囲】
【請求項１】
キーボードと、該キーボードの底面側に回動可能に取付けられ、該キーボードを起立状態で支持可能なスタンドと、を有するスタンド付きキーボード。
【請求項２】
前記スタンドは、キーボードの底面側に取付けられた支持部と、該支持部に回動可能に取付けられたスタンド本体と、該キーボードを起立状態で支持する位置にスタンド本体を該支持部に係合可能な係合部と、を有する請求項１に記載のスタンド付きキーボード。
【請求項３】
前記支持部がキーボードの底面側に平行に一対設けられ、該支持部の対向する面に孔部が設けられ、両支持部間に前記スタンドが回動可能に配設され、該スタンドの回動軸が該孔部内に回動可能に挿入され、該支持部の内面に係合孔が形成され、該係合孔に係合可能な係合突起がスタンドの側面に突設されている請求項２に記載のスタンド付きキーボード。
【発明の詳細な説明】
【技術分野】
【０００１】
本発明は、ワードプロセッサ、パソコン等のキーボードを、不使用時は起立状態に支持し得るようにして、広くなった机上のスペースでオペレーターが作業をすることができるようにしたスタンド付きキーボードに関する。
【背景技術】
【０００２】
オペレーターが机上で、キーボード操作以外の作業をする場合には、机上の空間を充分利用することができないので、キーボードを机上から別の場所へ移動させることが行われているが、このような作業は面倒であり、またキーボードの固定が不安定でもある。
【０００３】
そこで、例えば、特開平８−３１４５７５号公報（特許文献１）には、不使用時にはキーボードを起立状態に支持できるキーボードスタンドが開示されている。このキーボードスタンドは、断面略Ｌ字形のスタンドを用意しており、このスタンドにキーボードの後端を取り付け、キーボードを起立すると、このスタンドでキーボードの起立状態を支持するというものである。
【０００４】
従来のスタンドは、このようにキーボードとは別部材で構成されているので、スタンドを使用しないときにはかえって邪魔になり、さらなる改良の余地があった。
【特許文献１】特開平８−３１４５７５号公報
【発明の開示】
【発明が解決しようとする課題】
【０００５】
本発明は、キーボードの使用時には邪魔にならず、またキーボードの不使用時にはキーボードを起立状態に支持しておくことが可能なスタンド付きキーボードを提供することを目的とする。
【課題を解決するための手段】
【０００６】
本発明のスタンド付きキーボードは、キーボードと、該キーボードの底面側に回動可能に取付けられ、該キーボードを起立状態で支持可能なスタンドと、を有し、そのことにより上記目的が達成される。
【０００７】
一つの実施形態では、前記スタンドは、キーボードの底面側に取付けられた支持部と、該支持部に回動可能に取付けられたスタンド本体と、該キーボードを起立状態で支持する位置にスタンド本体を該支持部に係合可能な係合部と、を有する。
【０００８】
一つの実施形態では、前記支持部がキーボードの底面側に平行に一対設けられ、該支持部の対向する面に孔部が設けられ、両支持部間に前記スタンドが回動可能に配設され、該スタンドの回動軸が該孔部内に回動可能に挿入され、該支持部の内面に係合孔が形成され、該係合孔に係合可能な係合突起がスタンドの側面に突設されている。
【発明の効果】
【０００９】
本発明のスタンド付きキーボードは、不使用時には起立状態に支持できるので、机上のスペースを有効に使用でき、またスタンドがキーボードの底面に取付けられているので、不使用時にはスタンドが邪魔になるようなこともない。さらに、スタンドを回動するだけで、キーボードを起立状態に支持できるので操作性もよい。
【発明を実施するための最良の形態】
【００１０】
以下に本発明の実施の形態を具体的に説明する。
【００１１】
本発明に係るスタンド付きキーボード１は、図１〜図３に示すように、キーボード１と、該キーボード１の底面側に回動可能に取付けられ、該キーボード１を起立状態で支持可能なスタンド２と、を有する。該スタンド２は、キーボード１の底面側に平行に取付けられた一対の支持部２１と、両支持部２１間に配設されて該支持部２１に回動可能に取付けられたスタンド本体２０と、該キーボード１を起立状態で支持する位置にスタンド２を該支持部２１に係合可能な係合部２２と、を有する。
【００１２】
該支持部２１はキーボード１の底面側から突出しており、その対向する内面に孔部２３が設けられている。両支持部２１間に配設されたスタンド本体２０の先端部に回動軸２４が突設され、この回動軸２４が孔部２３内に回動可能に挿入されて、スタンド本体２０は両支持部２１間で回動可能に配設されている。
【００１３】
図４〜図６に示すように、スタンド本体２０は合成樹脂等で形成され、把持部２６とこの把持部２６より延設された基片２７および両側片２８，２８とを有し、両側片２８は内外方向へ弾性変形可能である。よって、スタンド２２本体の回動軸２４は内側へ撓ませた状態で孔部２３へ弾性的に挿入されている。また支持部２１の内面には係合孔２９が形成されている。該スタンド本体２０の両側片２８，２８の外面には係合突起３０が形成され、スタンド本体２０の所定傾斜位置でスタンド本体２０の係合突起３０が支持部２１の係合孔２９に係合することで、スタンド本体２０をキーボード１に対して所定角度で仮固定することができる。また、スタンド本体２０を回動を一定位置で規制するための縦片１２がキーボード底面より突設されている。
【００１４】
このスタンド本体２０の傾斜角度は、キーボード１を起立した場合に、キーボード１の奥部１１（オペレーター側とは反対側の部分）とスタンド本体２０の把持部２６下面とによって、キーボード１を起立状態に支持できる角度である。つまり、机３の表面と起立したキーボード１の底面とのなす角度がほぼ８９−８０度となる位置で支持できるようにスタンド本体２０の傾斜角度およびその長さが設定されている。
【００１５】
スタンド本体２０を回動して倒した場合には、図２に示すように、キーボード１の底面に沿って配置される。
【００１６】
スタンド本体２０の把持部２６にはゴム、熱可塑性エラストマー等よりなる弾性材３１が装着され、机表面に傷等が付かないようになっている。
【００１７】
キーボード１を使用する場合には、スタンド本体２０を倒してキーボード１の底面側に配置しておくことで、キーボード１の作業に支障はない。また、支持部２１のキーボード１底面からの高さはキーボード１の底面側に配置されている脚部１３より低く設定されている。
【００１８】
キーボード１を使用しない場合には、図１のように、キーボード１の奥部１１を中心に回動して起立させ、スタンド本体２０を回動してその停止位置まで起こせば、係合突起３０が係合孔２９に係合して、キーボード１の奥部１１底面とスタンド本体２０の把持部２６底面との間でキーボード１を起立状態に支持できる。
【００１９】
よって、机上のスペースを有効に使用でき、また安定してキーボード１が起立状態で支持できるので不意にキーボード１が倒れるようなこともない。
【図面の簡単な説明】
【００２０】
【図１】図１はキーボードの起立状態を示す概略図である。
【図２】図２はキーボードの底面側の概略図であり、スタンド本体はキーボードの底面に添って配置している。
【図３】図３はキーボードの底面側の概略図であり、スタンド本体は起立している。
【図４】図４は図１に示すスタンドの要部概略図である。
【図５】図５は図１に示すスタンドの底面図である。
【図６】図６は図１に示すスタンドの支持部の斜視図である。
【符号の説明】
【００２１】
１    キーボード
２    スタンド
３    机
２０  スタンド本体
２１  支持部
【図１】
2005196597.tif 000003
【図２】
2005196597.tif 000004
【図３】
2005196597.tif 000005
【図４】
2005196597.tif 000006
【図５】
2005196597.tif 000007
【図６】
2005196597.tif 000008